(57)【要約】【課題】ガラリのような飾り構成部を備え、安価で、かつ、安全性の高い戸等の建具を提供する。【解決手段】面同士が互いに離れて平行に対向する前面パネル５及び後面パネル８と、これら前面パネル及び後面パネルを貫通するように形成されたパネル開口９と、前面パネルと後面パネルとの間に設置されてパネル開口を塞ぐ飾り構成部（ガラリ１０）とを備えた建具において、飾り構成部が、飾り部（ガラリ本体１１）と、飾り部の周囲を囲んで飾り部を支持する支持枠部１２とを備え、支持枠部１２の枠内周縁２０が、パネル開口９のパネル開口縁２１に沿ってパネル開口縁２１よりもパネル開口９の中心Ｃ側に位置された。【選択図】図１
2010163808.tif 000002
【特許請求の範囲】
【請求項１】
面同士が互いに離れて平行に対向する前面パネル及び後面パネルと、これら前面パネル及び後面パネルを貫通するように形成されたパネル開口と、前面パネルと後面パネルとの間に設置されてパネル開口を塞ぐ飾り構成部とを備えた建具において、飾り構成部が、飾り部と、飾り部の周囲を囲んで飾り部を支持する支持枠部とを備え、支持枠部の枠内周縁が、パネル開口のパネル開口縁に沿ってパネル開口縁よりもパネル開口の中心側に位置されたことを特徴とする建具。
【請求項２】
支持枠部が、上記飾り部の周囲を囲んで飾り部を支持する支持枠体と、上記枠内周縁を有して上記支持枠体の前縁面に取付けられて上記前面パネルと接触する前枠面と、上記枠内周縁を有して上記支持枠体の後縁面に取付けられて上記後面パネルと接触する後枠面とを備え、上記前枠面と後枠面とがＭＤＦにより形成されたことを特徴とする請求項１に記載の建具。
【発明の詳細な説明】
【技術分野】
【０００１】
本発明は、飾り構成部を備え、安価で、かつ、安全性の高い建具に関する。
【背景技術】
【０００２】
図５；６に示すように、矩形形状の枠体２と、枠体２を介して面同士が互いに離れて平行に対向する前面パネル５及び後面パネル８と、前面パネル５及び後面パネル８を貫通するように形成されたパネル開口９Ａと、当該パネル開口９Ａを塞ぐ飾り構成部としてのガラリ１０Ａとを備えた戸１Ａが知られている（例えば、特許文献１等参照）。前面パネル５は、枠体２の前開口３を塞ぐように枠体２の前縁面４に取付けられ、後面パネル８は、枠体２の後開口６を塞ぐように枠体２の後縁面７に取付けられる。ガラリ１０Ａは、パネル開口９Ａを塞ぐように、前面パネル５と後面パネル８とに挟み込まれて設置される。
【先行技術文献】
【特許文献】
【０００３】
【特許文献１】特開２００６−２９１５２５号公報
【発明の概要】
【発明が解決しようとする課題】
【０００４】
例えば、図４乃至図６に示すように、ガラリ１０Ａの羽根４１Ａを支持する支持枠部１２Ａの中心とパネル開口９Ａの中心とを一致させて、前面パネル５と後面パネル８とでガラリ１０Ａを挟み込む構造の戸１Ａの場合、支持枠部１２Ａの外周径をパネル開口９Ａよりも大きく形成するため（図５（ｂ）参照）、パネル開口９Ａのパネル開口縁２１Ａ（小口）が支持枠部１２Ａの内周縁１２ａよりもパネル開口９Ａの中心Ｃ側に突出する。この構成のガラリ付き戸１Ａは、支持枠部１２Ａの内周縁１２ａよりもパネル開口９の中心Ｃ側に突出するパネル開口縁２１Ａが、例えば板厚の薄い金属板材をプレス加工でくり貫いて形成されたような場合等においては、線状の鋭利なパネル開口縁２１Ａが突出することになる。従って、図４（ｂ）に示すように、線状のパネル開口縁２１Ａで手Ｈ等を切ったりする可能性があった。また、図示しないが、ガラリを前後に分割して、前側ガラリをパネル開口の前側からパネル開口に嵌め込んで前側ガラリの枠でパネル開口の前側パネル開口縁を覆い、かつ、後側ガラリをパネル開口の後側からパネル開口に嵌め込んで後側ガラリの枠でパネル開口の後側パネル開口縁を覆い、このようにパネル開口に嵌め込まれた前側ガラリの枠と後側ガラリの枠とを連結ねじで連結した構成とした場合、パネル開口の前後側のパネル開口縁が露出しないので、当該開口縁で手等を切ったりすることはなくなると考えられる。しかしながら、このような前側ガラリ及び後側ガラリを用いる構造の場合、構造が複雑となり、コスト高となるといった問題点があった。
本発明は、上記問題点に鑑み、ガラリのような飾り構成部を備え、安価で、かつ、安全性の高い戸等の建具を提供する。
【課題を解決するための手段】
【０００５】
本発明に係る建具は、面同士が互いに離れて平行に対向する前面パネル及び後面パネルと、これら前面パネル及び後面パネルを貫通するように形成されたパネル開口と、前面パネルと後面パネルとの間に設置されてパネル開口を塞ぐ飾り構成部とを備えた建具において、飾り構成部が、飾り部と、飾り部の周囲を囲んで飾り部を支持する支持枠部とを備え、支持枠部の枠内周縁が、パネル開口のパネル開口縁に沿ってパネル開口縁よりもパネル開口の中心側に位置されたので、飾り構成部を備えた安価で安全性の高い建具が得られる。
支持枠部が、上記飾り部の周囲を囲んで飾り部を支持する支持枠体と、上記枠内周縁を有して上記支持枠体の前面縁に取付けられて上記前面パネルと接触する前枠面と、上記枠内周縁を有して上記支持枠体の後面縁に取付けられて上記後面パネルと接触する後枠面とを備え、上記前枠面と後枠面とがＭＤＦにより形成されたので、軽量化した建具を製造できる。
【図面の簡単な説明】
【０００６】
【図１】（ａ）は図２（ａ）のＡ−Ａ断面図、(ｂ)は図２（ａ）のＢ−Ｂ断面図。
【図２】（ａ）はガラリ付き戸の斜視図、（ｂ）はガラリ付き戸の正面図。
【図３】ガラリ付き戸の分解斜視図。
【図４】（ａ）は図５（ａ）のＤ−Ｄ断面図、（ｂ）は図５（ａ）のＥ−Ｅ断面図（従来）。
【図５】（ａ）はガラリ付き戸の斜視図、（ｂ）はガラリ付き戸の正面図（従来）。
【図６】ガラリ付き戸の分解斜視図（従来）。
【発明を実施するための形態】
【０００７】
図２；３に示すように、建具としてのガラリ付き戸１は、戸１の上下の端面及び左右の側面を形成する部材であって前後に所定厚さａを有した矩形形状の枠体２と、枠体２の前開口３を塞ぐように枠体２の前縁面４に取付けられる前面パネル（板）５と、枠体２の後開口６を塞ぐように枠体２の後縁面７に取付けられる後面パネル（板）８と、これら前面パネル５及び後面パネル８を貫通するように形成されたパネル開口９と、前面パネル５と後面パネル８との間に設置されてパネル開口９を塞ぐ飾り構成部としてのガラリ１０とを備える。パネル開口９は、前面パネル５に形成された前面パネル開口９ａと、後面パネル８に形成された後面パネル開口９ｂとにより形成される。即ち、互いに同形で同じ中心Ｃを有した前面パネル開口９ａと後面パネル開口９ｂとによりパネル開口９が形成される。
【０００８】
枠体２は、例えば、板厚０．５ｍｍ程度の軽量鋼板、アルミ板のような金属板材を枠組みして形成される。前面パネル５、後面パネル８は、例えば、板厚０．５ｍｍ程度の軽量鋼板、アルミ板のような金属板材により形成される。
【０００９】
ガラリ１０は、飾り部としてのガラリ本体１１と、ガラリ本体１１の周囲を囲んで支持する支持枠部１２とを備える。
【００１０】
支持枠部１２は、前後に所定厚さｂを有した矩形形状の支持枠体１３と、支持枠体１３の前開口１４の前縁面１５に取付けられる前枠面１６と、支持枠体１３の後開口１７の後縁面１８に取付けられる後枠面１９とを備える。前枠面１６の枠内周縁（支持枠部１２の枠内周縁）２０ａが、前面パネル開口９ａのパネル開口縁２１ａに沿ってパネル開口縁２１ａよりも前面パネル開口９ａの中心Ｃ側に位置される。後枠面１９の枠内周縁（支持枠部１２の枠内周縁）２０ｂが、後面パネル開口９ｂのパネル開口縁２１ｂに沿ってパネル開口縁２１ｂよりも後面パネル開口９ｂの中心Ｃ側に位置される。言い換えれば、パネル開口９の開口寸法が支持枠部１２の開口寸法よりも大きく形成され、パネル開口９の中心Ｃに対して、パネル開口９のパネル開口縁２１が、支持枠部１２の開口３１の開口縁２０である前後の枠面１６；１９の枠内周縁２０ａ；２０ｂよりも外側に位置された構成を備える。即ち、パネル開口９の中心と支持枠部１２の開口３１の中心とを一致させた場合において、開口径の大きさの関係は、支持枠部１２の開口３１＜パネル開口９である。前枠面１６や後枠面１９の枠内周縁２０ａ；２０ｂである支持枠部１２の開口３１の開口縁２０とパネル開口９のパネル開口縁２１との間の長さ寸法は１．５ｍｍ程度に形成される。
また、パネル開口９の中心Ｃに対して、前後の枠面１６；１９の枠外周縁３２ａ；３２ｂが、パネル開口９のパネル開口縁２１よりも外側に位置された構成を備える。
例えば、支持枠体１３が木材により形成され、前枠面１６及び後枠面１９は、例えば、ＭＤＦ（Ｍｉｄｉｕｍ  ｄｅｎｓｉｔｙ  Ｆｉｂｅｒｂｏａｄ（中密度圧縮合板））により形成される。
【００１１】
ガラリ本体１１は、複数個の羽根４１により形成される。羽根４１は、左右両端が支持枠体１３の左右の側板に固定又は回転可能に支持される。複数個の羽根４１は、上下方向に間隔を隔てて互いに平行に配置される。ガラリ本体１１の種類としては、横に細長い板からなる羽根の板面が傾斜するように設置された片流れガラリ、横に細長い断面山形の板からなる羽根が上下に間隔を隔てて設置された山形ガラリ等がある。ガラリ本体１１は、例えば、アルミ板のような金属板材により形成される。
【００１２】
例えば、ガラリ１０のガラリ本体１１の中心とパネル開口９の中心とが一致するように、ガラリ１０が前面パネル５と後面パネル８との間に配置された状態において、前枠面１６と前面パネル５とが接着剤等の固定手段によって結合され、後枠面１９と後面パネル８とが接着剤等の固定手段によって結合され、さらに、枠体２の前縁面４と前面パネル５とが接着剤等の固定手段によって結合され、枠体２の後縁面７と後面パネル８とが接着剤等の固定手段によって結合される。
また、前面パネル５と後面パネル８と枠体２とで囲まれた内部空間には、図外の断熱材や、戸面を補強する図外の桟等が設けられる。
以上により、ガラリ付き戸１が形成される。
【００１３】
尚、パネル開口９の形状が矩形形状又は円形状であれば、支持枠体１３はパネル開口９よりも大きい矩形形状のものを用いる。前枠面１６及び後枠面１９は、支持枠体１３の矩形形状の開口を塞ぐ大きさの矩形形状パネルの中央部にパネル開口９の径よりも小さい径の開口が形成されたものを用いる。当該開口の最小径は、複数個のそれぞれの羽根４１の少なくとも一部が戸の外側から目視できるような寸法に設定される。
【００１４】
また、羽根４１が固定式の場合、図１（ａ）に示すように、最上部の羽根４１の前面４５と前枠面１６とが接触し、最上部の羽根４１の後面４６と後枠面１９とが接触するように形成され、かつ、最下部の羽根４１の前面４５と前枠面１６とが接触し、最下部の羽根４１の後面４６と後枠面１９とが接触するように形成されることによって、少なくとも最上部と最下部との間に位置する羽根４１の前後面４５；４６がパネル開口９を介して外部から目視されるようになり、意匠性も確保される。
【００１５】
本形態によれば、前面パネル５と後面パネル８とでガラリ１０を挟み込むという簡単でかつ安価の構造のガラリ付き戸１において、パネル開口縁２１が前枠面１６や後枠面１９の枠内周縁２０ａ；２０ｂである支持枠部１２の開口３１の開口縁２０よりもパネル開口９の中心Ｃ側に突出しない構造としたので、手等がパネル開口縁２１近辺における前後のパネルの内面２５に接触することがなくなって、従来のように支持枠部１２の枠内周縁２０ａ；２０ｂよりも線状に突出するパネル開口縁２１が手等に線接触するようなことがなくなるので、パネル開口縁２１で手等を切ったりすることがなくなり、安全性の高い戸が得られる。
また、前枠面１６及び後枠面１９をＭＤＦにより形成したので、前枠面１６及び後枠面１９の軽量化が図れる。
【００１６】
支持枠部１２の全てをＭＤＦにより形成してもよい。支持枠部１２は、金属、合成樹脂等で形成してもよい。
前面パネル５、後面パネル８、枠体２、ガラリ１０は、合成樹脂製、木製の板材を使用してもよい。
要するに、本願では、戸を構成する材料は、金属、合成樹脂、木等を使用すればよい。このように、構成材料を特に限定しなくても、パネル開口縁２１が前枠面１６や後枠面１９の枠内周縁２０ａ；２０ｂである支持枠部１２の開口３１の開口縁２０よりもパネル開口９の中心Ｃ側に突出しない構造とすれば、本願の所期の目的である、飾り構成部を備え、安価で、かつ、安全性の高い戸等の建具を得ることができる。
【産業上の利用可能性】
【００１７】
本発明は、開閉扉（ドア）、引き違い戸、嵌め戸、欄間等の建具に設けるガラリ１０とパネル開口９との構造に適用可能である。
【符号の説明】
【００１８】
１  ガラリ付き戸（建具）、５  前面パネル、８  後面パネル、９  パネル開口、
１２  支持枠部、１３  支持枠体、１６  前枠面、１９  後枠面、
２０ａ，ｂ  枠内周縁、２１  パネル開口縁。
【図１】
2010163808.tif 000003
【図２】
2010163808.tif 000004
【図３】
2010163808.tif 000005
【図４】
2010163808.tif 000006
【図５】
2010163808.tif 000007
【図６】
2010163808.tif 000008